【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）であって、
ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を介し通信するための第１の無線機と、
ＷＬＡＮ（Ｗｉｒｅｌｅｓｓ  Ｌｏｃａｌ  Ａｒｅａ  Ｎｅｔｗｏｒｋ）を介し通信するための第２の無線機と、
前記第１及び第２の無線機と結合された制御回路と、
を有し、
前記制御回路は、
ブロードキャストシステム情報ブロック又は前記ＵＥに専用の無線リソース制御（ＲＲＣ）接続リコンフィギュレーションメッセージにおいて、前記ＥＵＴＲＡＮと前記ＷＬＡＮとの間のトラフィック誘導及びアクセスネットワーク選択のための無線アクセスネットワーク（ＲＡＮ）支援パラメータを受信するステップであって、前記ＲＡＮ支援パラメータは、前記ＷＬＡＮに対応するＷＬＡＮ識別子、ＲＳＲＰ（Ｒｅｆｅｒｅｎｃｅ  Ｓｉｇｎａｌ  Ｒｅｃｅｉｖｅｄ  Ｐｏｗｅｒ）閾値及びＲＳＲＱ（Ｒｅｆｅｒｅｎｃｅ  Ｓｉｇｎａｌ  Ｒｅｃｅｉｖｅｄ  Ｑｕａｌｉｔｙ）閾値を含む、受信するステップと、
前記第１の無線機を介し前記ＥＵＴＲＡＮにトラフィックを送信するステップと、
前記ＥＵＴＲＡＮの測定されたセル受信レベル値が前記ＲＳＲＰ閾値未満であるか、又は前記ＥＵＴＲＡＮの測定されたセル品質値が前記ＲＳＲＱ閾値未満であると判断するステップと、
前記ＥＵＴＲＡＮの測定されたＲＳＲＰが前記ＲＳＲＰ閾値未満であるか、又は前記ＥＵＴＲＡＮの測定されたＲＳＲＱが前記ＲＳＲＱ閾値未満であるという判断に基づき、前記第２の無線機を介し前記ＷＬＡＮにトラフィックを誘導するステップと、
を実行するユーザ装置。
【請求項２】
前記ＲＡＮ支援パラメータは、前記ＲＲＣ接続リコンフィギュレーションメッセージにおける第１のＲＡＮ支援パラメータであり、
前記制御回路は更に、
前記システム情報ブロックにおいて第２のＲＡＮ支援パラメータを受信するステップと、
前記第２のＲＡＮ支援パラメータを破棄するステップと、
前記第１のＲＡＮ支援パラメータを保存するステップと、
を実行する、請求項１記載のユーザ装置。
【請求項３】
前記制御回路は、前記ＲＲＣ接続リコンフィギュレーションメッセージの情報要素において前記ＲＡＮ支援パラメータを受信する、請求項１又は２記載のユーザ装置。
【請求項４】
前記ＲＡＮ支援パラメータは、タイマ値を有し、
前記制御回路は、
前記タイマ値によってタイマを設定するステップと、
ＲＲＣアイドルモードに入ると前記タイマをスタートするステップと、
前記タイマの満了に応答して、ＲＲＣ接続リコンフィギュレーションメッセージにおいて受信した前記ＲＡＮ支援パラメータを破棄するステップと、
を実行する、請求項３記載のユーザ装置。
【請求項５】
前記ＲＡＮ支援パラメータは更に、ＷＬＡＮチャネル使用閾値、ＷＬＡＮダウンリンクバックホールレート閾値、ＷＬＡＮアップリンクバックホールレート閾値及びＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値を含み、
前記制御回路は更に、
ＷＬＡＮチャネル使用が前記ＷＬＡＮチャネル使用閾値未満であり、ＷＬＡＮダウンリンクバックホールレートが前記ＷＬＡＮダウンリンクバックホールレート閾値より大きく、ＷＬＡＮアップリンクバックホールレートが前記ＷＬＡＮアップリンクバックホールレート閾値より大きく、及びビーコンＲＳＳＩが前記ＷＬＡＮビーコンＲＳＳＩ閾値より大きいと判断するステップと、
前記ＷＬＡＮチャネル使用が前記ＷＬＡＮチャネル使用閾値未満であり、前記ＷＬＡＮダウンリンクバックホールレートが前記ＷＬＡＮダウンリンクバックホールレート閾値より大きく、前記ＷＬＡＮアップリンクバックホールレートが前記ＷＬＡＮアップリンクバックホールレート閾値より大きく、及び前記ビーコンＲＳＳＩが前記ＷＬＡＮビーコンＲＳＳＩ閾値より大きいという判断に更に基づき、前記第２の無線機を介し前記ＷＬＡＮにトラフィックを誘導するステップと、
を実行する、請求項１記載のユーザ装置。
【請求項６】
ユーザ装置（ＵＥ）であって、
ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を介し通信するための第１の無線機と、
ＷＬＡＮ（Ｗｉｒｅｌｅｓｓ  Ｌｏｃａｌ  Ａｒｅａ  Ｎｅｔｗｏｒｋ）を介し通信するための第２の無線機と、
前記第１及び第２の無線機と結合された制御回路と、
を有し、
前記制御回路は、
ブロードキャストシステム情報ブロック又は前記ＵＥに専用の無線リソース制御（ＲＲＣ）接続リコンフィギュレーションメッセージにおいて、前記ＥＵＴＲＡＮと前記ＷＬＡＮとの間のトラフィック誘導及びアクセスネットワーク選択のための無線アクセスネットワーク（ＲＡＮ）支援パラメータを受信するステップであって、前記ＲＡＮ支援パラメータは、ＷＬＡＮチャネル使用閾値、ＷＬＡＮダウンリンクバックホールレート閾値、ＷＬＡＮアップリンクバックホールレート閾値、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値及びＷＬＡＮビーコンＲＳＳＩ閾値を含む、受信するステップと、
前記第２の無線機を介し前記ＷＬＡＮにトラフィックを送信するステップと、
ＷＬＡＮチャネル使用が前記ＷＬＡＮチャネル使用閾値より大きいか、ＷＬＡＮダウンリンクバックホールレートが前記ＷＬＡＮダウンリンクバックホールレート閾値未満であるか、ＷＬＡＮアップリンクバックホールレートが前記ＷＬＡＮアップリンクバックホールレート閾値未満であるか、又は、ビーコンＲＳＳＩが前記ＷＬＡＮビーコンＲＳＳＩ閾値未満であると判断するステップと、
前記ＷＬＡＮチャネル使用が前記ＷＬＡＮチャネル使用閾値より大きいか、前記ＷＬＡＮダウンリンクバックホールレートが前記ＷＬＡＮダウンリンクバックホールレート閾値未満であるか、前記ＷＬＡＮアップリンクバックホールレートが前記ＷＬＡＮアップリンクバックホールレート閾値未満であるか、又は、前記ビーコンＲＳＳＩが前記ＷＬＡＮビーコンＲＳＳＩ閾値未満であるという判断に基づき、前記第１の無線機を介し前記ＥＵＴＲＡＮにトラフィックを誘導するステップと、
を実行するユーザ装置。
【請求項７】
前記ＲＡＮ支援パラメータは更に、ＲＳＲＰ（Ｒｅｆｅｒｅｎｃｅ  Ｓｉｇｎａｌ  Ｒｅｃｅｉｖｅｄ  Ｐｏｗｅｒ）閾値及びＲＳＲＱ（Ｒｅｆｅｒｅｎｃｅ  Ｓｉｇｎａｌ  Ｒｅｃｅｉｖｅｄ  Ｑｕａｌｉｔｙ）閾値を含み、
前記制御回路は更に、
前記ＥＵＴＲＡＮの測定されたセル受信レベル値が前記ＲＳＲＰ閾値より大きく、前記ＥＵＴＲＡＮの測定されたセル品質値が前記ＲＳＲＱ閾値より大きいと判断するステップと、
前記ＥＵＴＲＡＮに対応する前記測定されたセル受信レベル値が前記ＲＳＲＰ閾値より大きく、前記ＥＵＴＲＡＮに対応する前記測定されたセル品質値が前記ＲＳＲＱ閾値より大きいという判断に基づき、前記第１の無線機を介し前記ＥＵＴＲＡＮにトラフィックを誘導するステップと、
を実行する、請求項６記載のユーザ装置。
【請求項８】
前記第１及び第２の無線機と結合されるマルチモードベースバンド回路を更に有する、請求項６又は７記載のユーザ装置。
【請求項９】
エンハンストノードＢ（ｅＮＢ）回路であって、
前記ｅＮＢによって提供される複数のＰＬＭＮ（Ｐｕｂｌｉｃ  Ｌａｎｄ  Ｍｏｂｉｌｅ  Ｎｅｔｗｏｒｋ）のそれぞれのＲＡＮ支援パラメータのセットを受信し、前記ＲＡＮ支援パラメータの個々のセットは、ＥＵＴＲＡＮ（Ｅｖｏｌｖｅｄ  Ｕｎｉｖｅｒｓａｌ  Ｔｅｒｒｓｔｒｉａｌ  Ｒａｄｉｏ  Ａｃｃｅｓｓ  Ｎｅｔｗｏｒｋ）からＷＬＡＮ（Ｗｉｒｅｌｅｓｓ  Ｌｏｃａｌ  Ａｒｅａ  Ｎｅｔｗｏｒｋ）にトラフィックを誘導するための第１のＥＵＴＲＡＮ閾値、ＷＬＡＮからＥＵＴＲＡＮにトラフィックを誘導するための第２のＥＵＴＲＡＮ閾値、ＥＵＴＲＡＮからＷＬＡＮにトラフィックを誘導するための第１のＷＬＡＮ閾値及びＷＬＡＮからＥＵＴＲＡＮにトラフィックを誘導するための第２のＷＬＡＮ閾値を含み、前記複数のＰＬＭＮのそれぞれの前記ＲＡＮ支援パラメータを含む専用又はブロードキャストシグナリングメッセージを生成する制御回路と、
前記ＥＵＴＲＡＮのセルにおける１つ以上のユーザ装置（ＵＥ）に専用又はブロードキャストシグナリングメッセージを送信する無線送受信機と、
を有するｅＮＢ回路。
【請求項１０】
ネットワークノードから前記ＲＡＮ支援パラメータのセットの第１のＲＡＮ支援パラメータを受信する送受信機を更に有し、前記第１のＲＡＮ支援パラメータはＷＬＡＮ識別子である、請求項９記載のｅＮＢ回路。
【請求項１１】
前記制御回路は、前記ＲＡＮ支援パラメータを含むシステム情報ブロックを生成し、
前記無線送受信機は、前記システム情報ブロックを送信する、請求項９記載のｅＮＢ回路。
【請求項１２】
前記制御回路は、前記ＲＡＮ支援パラメータを含む無線リソース制御（ＲＲＣ）接続リコンフィギュレーションメッセージを生成し、前記無線送受信機は、前記ＲＲＣ接続リコンフィギュレーションメッセージを送信する、請求項９記載のｅＮＢ回路。
【請求項１３】
前記第１のＥＵＴＲＡＮ閾値は、第１のＲＳＲＰ（Ｒｅｆｅｒｅｎｃｅ  Ｓｉｇｎａｌ  Ｒｅｃｅｉｖｅｄ  Ｐｏｗｅｒ）閾値又は第１のＲＳＲＱ（Ｒｅｆｅｒｅｎｃｅ  Ｓｉｇｎａｌ  Ｒｅｃｅｉｖｅｄ  Ｑｕａｌｉｔｙ）閾値を含み、前記第２のＥＵＴＲＡＮ閾値は、第２のＲＳＲＱ閾値又は第２のＲＳＲＱ閾値を含む、請求項９乃至１２何れか一項記載のｅＮＢ回路。
【請求項１４】
前記第１のＷＬＡＮ閾値は、第１のチャネル使用閾値、第１のＷＬＡＮダウンリンクバックホールレート閾値、第１のＷＬＡＮアップリンクバックホールレート又は第１のＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）を含み、前記第２のＷＬＡＮ閾値は、第２のチャネル使用閾値、第２のＷＬＡＮダウンリンクバックホールレート閾値、第２のＷＬＡＮアップリンクバックホールレート又は第２のＷＬＡＮビーコンＲＳＳＩを含む、請求項９乃至１２何れか一項記載のｅＮＢ回路。
【請求項１５】
システム情報メッセージ又は無線リソース制御（ＲＲＣ）メッセージを処理し、無線アクセスネットワーク（ＲＡＮ）支援パラメータを決定するステップと、
第１及び第２のアクセスネットワークの状態を決定するステップと、
前記第１及び第２のアクセスネットワークの状態が前記ＲＡＮ支援パラメータに基づき所定の期間においてＡＮＳＴＳ（Ａｃｃｅｓｓ  Ｎｅｔｗｏｒｋ  Ｓｅｌｅｃｔｉｏｎ  ａｎｄ  Ｔｒａｆｆｉｃ  Ｓｔｅｅｒｉｎｇ）ルールを充足していると判断するステップと、
前記第１及び第２のアクセスネットワークの状態が前記所定の期間において前記ＡＮＳＴＳを充足しているという判断に基づき、前記第１のアクセスネットワークから前記第２のアクセスネットワークにトラフィックを誘導するステップと、
をユーザ装置（ＵＥ）に実行させるためのプログラム。
【請求項１６】
前記ＲＡＮ支援パラメータは更に、ＥＵＴＲＡＮからＷＬＡＮにトラフィックを誘導するための第１のＥＵＴＲＡＮ閾値、ＷＬＡＮからＥＵＴＲＡＮにトラフィックを誘導するための第２のＥＵＴＲＡＮ閾値、ＥＵＴＲＡＮからＷＬＡＮにトラフィックを誘導するための第１のＷＬＡＮ閾値及びＷＬＡＮからＥＵＴＲＡＮにトラフィックを誘導するための第２のＷＬＡＮ閾値を含む、請求項１５記載のプログラム。
【請求項１７】
前記第１のアクセスネットワークはＥＵＴＲＡＮであり、前記第２のアクセスネットワークはＷＬＡＮであり、前記ＲＡＮ支援パラメータは、前記ＷＬＡＮに対応するＷＬＡＮ識別子、ＲＳＲＰ閾値及びＲＳＲＱ閾値を含み、
前記ＥＵＴＲＡＮの測定されたセル受信レベル値が前記ＲＳＲＰ閾値未満であるか、又は前記ＥＵＴＲＡＮの測定されたセル品質値が前記ＲＳＲＱ閾値未満であると判断するステップと、
前記ＥＵＴＲＡＮの測定されたＲＳＲＰが前記ＲＳＲＰ閾値未満であるか、又は前記ＥＵＴＲＡＮの測定されたＲＳＲＱが前記ＲＳＲＱ閾値未満であるという判断に基づき、前記ＷＬＡＮにトラフィックを誘導するステップと、
を前記ＵＥに更に実行させる、請求項１５又は１６記載のプログラム。
【請求項１８】
前記ＲＡＮ支援パラメータは更に、ＷＬＡＮチャネル使用閾値、ＷＬＡＮダウンリンクバックホールレート閾値、ＷＬＡＮアップリンクバックホールレート閾値及びＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値を含み、
ＷＬＡＮチャネル使用が前記ＷＬＡＮチャネル使用閾値未満であり、ＷＬＡＮダウンリンクバックホールレートが前記ＷＬＡＮダウンリンクバックホールレート閾値より大きく、ＷＬＡＮアップリンクバックホールレートが前記ＷＬＡＮアップリンクバックホールレート閾値より大きく、及びビーコンＲＳＳＩが前記ＷＬＡＮビーコンＲＳＳＩ閾値より大きいと判断するステップと、
前記ＷＬＡＮチャネル使用が前記ＷＬＡＮチャネル使用閾値未満であり、前記ＷＬＡＮダウンリンクバックホールレートが前記ＷＬＡＮダウンリンクバックホールレート閾値より大きく、前記ＷＬＡＮアップリンクバックホールレートが前記ＷＬＡＮアップリンクバックホールレート閾値より大きく、及び前記ビーコンＲＳＳＩが前記ＷＬＡＮビーコンＲＳＳＩ閾値より大きいという判断に更に基づき、前記ＷＬＡＮにトラフィックを誘導するステップと、
を前記ＵＥに更に実行させる、請求項１７記載のプログラム。
【請求項１９】
前記第１のアクセスネットワークはＷＬＡＮであり、前記第２のアクセスネットワークはＥＵＴＲＡＮであり、前記ＲＡＮ支援パラメータは、ＷＬＡＮチャネル使用閾値、ＷＬＡＮダウンリンクバックホールレート閾値、ＷＬＡＮアップリンクバックホールレート閾値、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値及びＷＬＡＮビーコンＲＳＳＩ閾値を含み、
ＷＬＡＮチャネル使用が前記ＷＬＡＮチャネル使用閾値より大きいか、ＷＬＡＮダウンリンクバックホールレートが前記ＷＬＡＮダウンリンクバックホールレート閾値未満であるか、ＷＬＡＮアップリンクバックホールレートが前記ＷＬＡＮアップリンクバックホールレート閾値未満であるか、又はビーコンＲＳＳＩが前記ＷＬＡＮビーコンＲＳＳＩ閾値未満であると判断するステップと、
前記ＷＬＡＮチャネル使用が前記ＷＬＡＮチャネル使用閾値より大きいか、前記ＷＬＡＮダウンリンクバックホールレートが前記ＷＬＡＮダウンリンクバックホールレート閾値未満であるか、前記ＷＬＡＮアップリンクバックホールレートが前記ＷＬＡＮアップリンクバックホールレート閾値未満であるか、又は前記ビーコンＲＳＳＩが前記ＷＬＡＮビーコンＲＳＳＩ閾値未満であるという判断に基づき、前記ＥＵＴＲＡＮにトラフィックを誘導するステップと、
を前記ＵＥに更に実行させる、請求項１５又は１６記載のプログラム。
【請求項２０】
前記ＲＡＮ支援パラメータは更に、ＲＳＲＰ閾値及びＲＳＲＱ閾値を含み、
前記ＥＵＴＲＡＮに対応する測定されたセル受信レベル値が前記ＲＳＲＰ閾値より大きく、前記ＥＵＴＲＡＮに対応する測定されたセル品質値が前記ＲＳＲＱ閾値より大きいと判断するステップと、
前記ＥＵＴＲＡＮに対応する測定されたセル受信レベル値が前記ＲＳＲＰ閾値より大きく、前記ＥＵＴＲＡＮに対応する測定されたセル品質値が前記ＲＳＲＱ閾値より大きいという判断に基づき、前記ＥＵＴＲＡＮにトラフィックを誘導するステップと、
を前記ＵＥに更に実行させる、請求項１９記載のプログラム。
【請求項２１】
ユーザ装置（ＵＥ）であって、
システム情報メッセージ又は無線リソース制御（ＲＲＣ）メッセージを処理し、無線アクセスネットワーク（ＲＡＮ）支援パラメータを決定する手段と、
第１及び第２のアクセスネットワークの状態を決定する手段と、
前記第１及び第２のアクセスネットワークの状態が前記ＲＡＮ支援パラメータに基づき所定の期間においてＡＮＳＴＳ（Ａｃｃｅｓｓ  Ｎｅｔｗｏｒｋ  Ｓｅｌｅｃｔｉｏｎ  ａｎｄ  Ｔｒａｆｆｉｃ  Ｓｔｅｅｒｉｎｇ）ルールを充足していると判断する手段と、
前記第１及び第２のアクセスネットワークの状態が前記所定の期間において前記ＡＮＳＴＳを充足しているという判断に基づき、前記第１のアクセスネットワークから前記第２のアクセスネットワークにトラフィックを誘導する手段と、
を有するユーザ装置。
【請求項２２】
前記ＲＡＮ支援パラメータは更に、ＥＵＴＲＡＮからＷＬＡＮにトラフィックを誘導するための第１のＥＵＴＲＡＮ閾値、ＷＬＡＮからＥＵＴＲＡＮにトラフィックを誘導するための第２のＥＵＴＲＡＮ閾値、ＥＵＴＲＡＮからＷＬＡＮにトラフィックを誘導するための第１のＷＬＡＮ閾値及びＷＬＡＮからＥＵＴＲＡＮにトラフィックを誘導するための第２のＷＬＡＮ閾値を含む、請求項２１記載のユーザ装置。
【請求項２３】
前記第１のアクセスネットワークはＥＵＴＲＡＮであり、前記第２のアクセスネットワークはＷＬＡＮであり、前記ＲＡＮ支援パラメータは、前記ＷＬＡＮに対応するＷＬＡＮ識別子、ＲＳＲＰ閾値及びＲＳＲＱ閾値を含み、
前記ＵＥは更に、
前記ＥＵＴＲＡＮの測定されたセル受信レベル値が前記ＲＳＲＰ閾値未満であるか、又は前記ＥＵＴＲＡＮの測定されたセル品質値が前記ＲＳＲＱ閾値未満であると判断する手段と、
前記ＥＵＴＲＡＮの測定されたＲＳＲＰが前記ＲＳＲＰ閾値未満であるか、又は前記ＥＵＴＲＡＮの測定されたＲＳＲＱが前記ＲＳＲＱ閾値未満であるという判断に基づき、前記ＷＬＡＮにトラフィックを誘導する手段と、
を有する、請求項２１又は２２記載のユーザ装置。
【請求項２４】
前記ＲＡＮ支援パラメータは更に、ＷＬＡＮチャネル使用閾値、ＷＬＡＮダウンリンクバックホールレート閾値、ＷＬＡＮアップリンクバックホールレート閾値及びＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値を含み、
前記ＵＥは更に、
ＷＬＡＮチャネル使用が前記ＷＬＡＮチャネル使用閾値未満であり、ＷＬＡＮダウンリンクバックホールレートが前記ＷＬＡＮダウンリンクバックホールレート閾値より大きく、ＷＬＡＮアップリンクバックホールレートが前記ＷＬＡＮアップリンクバックホールレート閾値より大きく、及びビーコンＲＳＳＩが前記ＷＬＡＮビーコンＲＳＳＩ閾値より大きいと判断する手段と、
前記ＷＬＡＮチャネル使用が前記ＷＬＡＮチャネル使用閾値未満であり、前記ＷＬＡＮダウンリンクバックホールレートが前記ＷＬＡＮダウンリンクバックホールレート閾値より大きく、前記ＷＬＡＮアップリンクバックホールレートが前記ＷＬＡＮアップリンクバックホールレート閾値より大きく、及び前記ビーコンＲＳＳＩが前記ＷＬＡＮビーコンＲＳＳＩ閾値より大きいという判断に更に基づき、前記ＷＬＡＮにトラフィックを誘導する手段と、
を有する、請求項２３記載のユーザ装置。
【請求項２５】
前記第１のアクセスネットワークはＷＬＡＮであり、前記第２のアクセスネットワークはＥＵＴＲＡＮであり、前記ＲＡＮ支援パラメータは、ＷＬＡＮチャネル使用閾値、ＷＬＡＮダウンリンクバックホールレート閾値、ＷＬＡＮアップリンクバックホールレート閾値、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値及びＷＬＡＮビーコンＲＳＳＩ閾値を含み、
前記ＵＥは更に、
ＷＬＡＮチャネル使用が前記ＷＬＡＮチャネル使用閾値より大きいか、ＷＬＡＮダウンリンクバックホールレートが前記ＷＬＡＮダウンリンクバックホールレート閾値未満であるか、ＷＬＡＮアップリンクバックホールレートが前記ＷＬＡＮアップリンクバックホールレート閾値未満であるか、又はビーコンＲＳＳＩが前記ＷＬＡＮビーコンＲＳＳＩ閾値未満であると判断する手段と、
前記ＷＬＡＮチャネル使用が前記ＷＬＡＮチャネル使用閾値より大きいか、前記ＷＬＡＮダウンリンクバックホールレートが前記ＷＬＡＮダウンリンクバックホールレート閾値未満であるか、前記ＷＬＡＮアップリンクバックホールレートが前記ＷＬＡＮアップリンクバックホールレート閾値未満であるか、又は前記ビーコンＲＳＳＩが前記ＷＬＡＮビーコンＲＳＳＩ閾値未満であるという判断に基づき、前記ＥＵＴＲＡＮにトラフィックを誘導する手段と、
を有する、請求項２１又は２２記載のユーザ装置。
【請求項２６】
請求項１５乃至２０何れか一項記載のプログラムを記憶するためのコンピュータ可読記憶媒体。
【請求項２７】
実行されると、
ＲＲＣ（Ｒａｄｉｏ  Ｒｅｓｏｕｒｃｅ  Ｃｏｎｔｒｏｌ）接続リコンフィギュレーションメッセージ又はシステム情報ブロックメッセージに基づき、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＷＬＡＮ（Ｗｉｒｅｌｅｓｓ  Ｌｏｃａｌ  Ａｒｅａ  Ｎｅｔｗｏｒｋ）との間のトラフィック誘導及びアクセスネットワーク選択のためのＲＡＮ（Ｒａｄｉｏ  Ａｃｃｅｓｓ  Ｎｅｔｗｏｒｋ）支援パラメータを決定するステップであって、前記ＲＡＮ支援パラメータは、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値と、ＥＵＴＲＡＮ  ＲＳＲＰ（Ｒｅｆｅｒｅｎｃｅ  Ｓｉｇｎａｌ  Ｒｅｃｅｉｖｅｄ  Ｐｏｗｅｒ）閾値又はＥＵＴＲＡＮ  ＲＳＲＱ（Ｒｅｆｅｒｅｎｃｅ  Ｓｉｇｎａｌ  Ｒｅｃｅｉｖｅｄ  Ｑｕａｌｉｔｙ）閾値とを含む、決定するステップと、
ＥＵＴＲＡＮ  ＲＳＲＰ又はＥＵＴＲＡＮ  ＲＳＲＱを決定するステップと、
前記ＷＬＡＮにおけるビーコンに基づき、ＷＬＡＮ  ＲＳＳＩを決定するステップと、
複数の誘導条件が所定の時間区間の間に充足されたと決定するステップであって、前記複数の誘導条件は、前記ＥＵＴＲＡＮ  ＲＳＲＰが前記ＥＵＴＲＡＮ  ＲＳＲＰ閾値未満であるか、又は前記ＥＵＴＲＡＮ  ＲＳＲＰが前記ＥＵＴＲＡＮ  ＲＳＲＱ閾値未満であることと、前記ＷＬＡＮ  ＲＳＳＩが前記ＷＬＡＮビーコンＲＳＳＩ閾値より大きいこととを含む、決定するステップと、
前記複数の誘導条件が前記所定の時間区間の間に充足されたという決定に基づき、前記ＥＵＴＲＡＮを介し通信するユーザ装置（ＵＥ）の第１の無線機から前記ＷＬＡＮを介し通信する前記ＵＥの第２の無線機にトラフィックを誘導するステップと、
を前記ＵＥに実行させる命令を有する１つ以上のコンピュータ可読媒体。
【請求項２８】
前記命令は更に、実行されると、
前記ＥＵＴＲＡＮのｅＮＢからのメッセージに基づき識別子を決定するステップと、
前記識別子に基づき前記ＷＬＡＮを特定するステップと、
を前記ＵＥに実行させる、請求項２７記載の１つ以上のコンピュータ可読媒体。
【請求項２９】
前記識別子は、サービスセット識別子、ベーシックサービスセット識別子又はホモジーニアス拡張サービスセット識別子である、請求項２８記載の１つ以上のコンピュータ可読媒体。
【請求項３０】
前記ＲＡＮ支援パラメータは更に、ＷＬＡＮチャネル使用閾値を有し、
前記複数の誘導条件は更に、前記ＷＬＡＮのチャネル使用が前記ＷＬＡＮチャネル使用閾値未満であることを含む、請求項２７乃至２９何れか一項記載の１つ以上のコンピュータ可読媒体。
【請求項３１】
前記ＲＡＮ支援パラメータは更に、ＷＬＡＮダウンリンクバックホールレート閾値を有し、
前記複数の誘導条件は更に、前記ＷＬＡＮの利用可能なダウンリンク帯域幅が前記ＷＬＡＮダウンリンクバックホールレート閾値より大きいことを含む、請求項２７乃至３０何れか一項記載の１つ以上のコンピュータ可読媒体。
【請求項３２】
前記ＲＡＮ支援パラメータは更に、ＷＬＡＮアップリンクバックホールレート閾値を有し、
前記複数の誘導条件は更に、前記ＷＬＡＮの利用可能なアップリンク帯域幅が前記ＷＬＡＮアップリンクバックホールレート閾値より大きいことを含む、請求項２７乃至３１何れか一項記載の１つ以上のコンピュータ可読媒体。
【請求項３３】
前記ＲＡＮ支援パラメータは更に、前記所定の時間区間を提供するタイマパラメータを有する、請求項２７乃至３２何れか一項記載の１つ以上のコンピュータ可読媒体。
【請求項３４】
ＷＬＡＮ（Ｗｉｒｅｌｅｓｓ  Ｌｏｃａｌ  Ａｒｅａ  Ｎｅｔｗｏｒｋ）からビーコンを受信するＷＬＡＮ無線機と、
ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）からＲＲＣ（Ｒａｄｉｏ  Ｒｅｓｏｕｒｃｅ  Ｃｏｎｔｒｏｌ）接続リコンフィギュレーションメッセージ又はシステム情報ブロック（ＳＩＢ）メッセージを受信するセルラ無線機と、
前記ＷＬＡＮ無線機と前記セルラ無線機とに結合される制御回路と、
を有する装置であって、
前記制御回路は、
前記ＲＲＣ接続リコンフィギュレーションメッセージ又は前記ＳＩＢメッセージに基づき、ＥＵＴＲＡＮとＷＬＡＮとの間のトラフィック誘導及びアクセスネットワーク選択のためのＲＡＮ（Ｒａｄｉｏ  Ａｃｃｅｓｓ  Ｎｅｔｗｏｒｋ）支援パラメータを決定するステップであって、前記ＲＡＮ支援パラメータは、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値と、ＥＵＴＲＡＮ  ＲＳＲＰ（Ｒｅｆｅｒｅｎｃｅ  Ｓｉｇｎａｌ  Ｒｅｃｅｉｖｅｄ  Ｐｏｗｅｒ）閾値又はＥＵＴＲＡＮ  ＲＳＲＱ（Ｒｅｆｅｒｅｎｃｅ  Ｓｉｇｎａｌ  Ｒｅｃｅｉｖｅｄ  Ｑｕａｌｉｔｙ）閾値とを含む、決定するステップと、
ＥＵＴＲＡＮ  ＲＳＲＰ又はＥＵＴＲＡＮ  ＲＳＲＱを決定するステップと、
前記ビーコンに基づき、ＷＬＡＮ  ＲＳＳＩを決定するステップと、
複数の誘導条件が所定の時間区間の間に充足されたと決定するステップであって、前記複数の誘導条件は、前記ＥＵＴＲＡＮ  ＲＳＲＰが前記ＥＵＴＲＡＮ  ＲＳＲＰ閾値未満であるか、又は前記ＥＵＴＲＡＮ  ＲＳＲＰが前記ＥＵＴＲＡＮ  ＲＳＲＱ閾値未満であることと、前記ＷＬＡＮ  ＲＳＳＩが前記ＷＬＡＮビーコンＲＳＳＩ閾値より大きいこととを含む、決定するステップと、
前記複数の誘導条件が前記所定の時間区間の間に充足されたという決定に基づき、前記セルラ無線機から前記ＷＬＡＮ無線機にトラフィックを誘導するステップと、
実行する装置。
【請求項３５】
前記制御回路は更に、
前記ＥＵＴＲＡＮのｅＮＢからのメッセージに基づき識別子を決定するステップと、
前記識別子に基づき前記ＷＬＡＮを特定するステップと、
を実行する、請求項３４記載の装置。
【請求項３６】
前記識別子は、サービスセット識別子、ベーシックサービスセット識別子又はホモジーニアス拡張サービスセット識別子である、請求項３５記載の装置。
【請求項３７】
前記ＲＡＮ支援パラメータは更に、ＷＬＡＮチャネル使用閾値を有し、前記複数の誘導条件は更に、前記ＷＬＡＮのチャネル使用が前記ＷＬＡＮチャネル使用閾値未満であることを含み、
前記ＲＡＮ支援パラメータは更に、ＷＬＡＮダウンリンクバックホールレート閾値を有し、前記複数の誘導条件は更に、前記ＷＬＡＮの利用可能なダウンリンク帯域幅が前記ＷＬＡＮダウンリンクバックホールレート閾値より大きいことを含み、又は、
前記ＲＡＮ支援パラメータは更に、ＷＬＡＮアップリンクバックホールレート閾値を有し、前記複数の誘導条件は更に、前記ＷＬＡＮの利用可能なアップリンク帯域幅が前記ＷＬＡＮアップリンクバックホールレート閾値より大きいことを含む、請求項３４乃至３６何れか一項記載の装置。
【請求項３８】
前記ＲＡＮ支援パラメータは更に、前記所定の時間区間を提供するタイマパラメータを有する、請求項３４乃至３７何れか一項記載の装置。
【請求項３９】
アクセスストレイタム回路であって、
ＲＲＣ（Ｒａｄｉｏ  Ｒｅｓｏｕｒｃｅ  Ｃｏｎｔｒｏｌ）接続リコンフィギュレーションメッセージ又はシステム情報ブロックメッセージに基づき、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＷＬＡＮ（Ｗｉｒｅｌｅｓｓ  Ｌｏｃａｌ  Ａｒｅａ  Ｎｅｔｗｏｒｋ）との間のトラフィック誘導及びアクセスネットワーク選択のためのＲＡＮ（Ｒａｄｉｏ  Ａｃｃｅｓｓ  Ｎｅｔｗｏｒｋ）支援パラメータを決定するステップであって、前記ＲＡＮ支援パラメータは、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値と、ＥＵＴＲＡＮ  ＲＳＲＰ（Ｒｅｆｅｒｅｎｃｅ  Ｓｉｇｎａｌ  Ｒｅｃｅｉｖｅｄ  Ｐｏｗｅｒ）閾値又はＥＵＴＲＡＮ  ＲＳＲＱ（Ｒｅｆｅｒｅｎｃｅ  Ｓｉｇｎａｌ  Ｒｅｃｅｉｖｅｄ  Ｑｕａｌｉｔｙ）閾値とを含む、決定するステップと、
ＥＵＴＲＡＮ  ＲＳＲＰ又はＥＵＴＲＡＮ  ＲＳＲＱを決定するステップと、
前記ＷＬＡＮにおけるビーコンに基づき、ＷＬＡＮ  ＲＳＳＩを決定するステップと、
複数の誘導条件が所定の時間区間の間に充足されたと決定するステップであって、前記複数の誘導条件は、前記ＥＵＴＲＡＮ  ＲＳＲＰが前記ＥＵＴＲＡＮ  ＲＳＲＰ閾値未満であるか、又は前記ＥＵＴＲＡＮ  ＲＳＲＰが前記ＥＵＴＲＡＮ  ＲＳＲＱ閾値未満であることと、前記ＷＬＡＮ  ＲＳＳＩが前記ＷＬＡＮビーコンＲＳＳＩ閾値より大きいこととを含む、決定するステップと、
を実行するアクセスストレイタム回路と、
前記複数の誘導条件が前記所定の時間区間の間に充足されたという前記アクセスストレイタム回路からの通知を受信するステップと、
前記通知に基づき、前記ＥＵＴＲＡＮを介し通信するユーザ装置（ＵＥ）の第１の無線機から前記ＷＬＡＮを介し通信する前記ＵＥの第２の無線機にトラフィックを誘導するステップと、
を実行する非アクセスストレイタム回路と、
を有する装置。
【請求項４０】
前記ＲＡＮ支援パラメータは更に、ＷＬＡＮチャネル使用閾値を有し、前記複数の誘導条件は更に、前記ＷＬＡＮのチャネル使用が前記ＷＬＡＮチャネル使用閾値未満であることを含み、
前記ＲＡＮ支援パラメータは更に、ＷＬＡＮダウンリンクバックホールレート閾値を有し、前記複数の誘導条件は更に、前記ＷＬＡＮの利用可能なダウンリンク帯域幅が前記ＷＬＡＮダウンリンクバックホールレート閾値より大きいことを含み、又は、
前記ＲＡＮ支援パラメータは更に、ＷＬＡＮアップリンクバックホールレート閾値を有し、前記複数の誘導条件は更に、前記ＷＬＡＮの利用可能なアップリンク帯域幅が前記ＷＬＡＮアップリンクバックホールレート閾値より大きいことを含む、請求項３４乃至３６３９記載の装置。
【請求項４１】
前記ＲＡＮ支援パラメータは更に、前記所定の時間区間を提供するタイマパラメータを有する、請求項３９又は４０記載の装置。
【請求項４２】
実行されると、
ＲＲＣ（Ｒａｄｉｏ  Ｒｅｓｏｕｒｃｅ  Ｃｏｎｔｒｏｌ）接続リコンフィギュレーションメッセージ又はシステム情報ブロックメッセージに基づき、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＷＬＡＮ（Ｗｉｒｅｌｅｓｓ  Ｌｏｃａｌ  Ａｒｅａ  Ｎｅｔｗｏｒｋ）との間のトラフィック誘導及びアクセスネットワーク選択のためのＲＡＮ（Ｒａｄｉｏ  Ａｃｃｅｓｓ  Ｎｅｔｗｏｒｋ）支援パラメータを決定するステップであって、前記ＲＡＮ支援パラメータは、ＷＬＡＮビーコンＲＳＳＩ（Ｒｅｃｅｉｖｅｄ  Ｓｉｇｎａｌ  Ｓｔｒｅｎｇｔｈ  Ｉｎｄｉｃａｔｏｒ）閾値と、ＥＵＴＲＡＮ  ＲＳＲＰ（Ｒｅｆｅｒｅｎｃｅ  Ｓｉｇｎａｌ  Ｒｅｃｅｉｖｅｄ  Ｐｏｗｅｒ）閾値又はＥＵＴＲＡＮ  ＲＳＲＱ（Ｒｅｆｅｒｅｎｃｅ  Ｓｉｇｎａｌ  Ｒｅｃｅｉｖｅｄ  Ｑｕａｌｉｔｙ）閾値とを含む、決定するステップと、
ＥＵＴＲＡＮ  ＲＳＲＰ又はＥＵＴＲＡＮ  ＲＳＲＱを決定するステップと、
前記ＷＬＡＮにおけるビーコンに基づき、ＷＬＡＮ  ＲＳＳＩを決定するステップと、
複数の誘導条件が所定の時間区間の間に充足されたと決定するステップであって、前記複数の誘導条件は、前記ＥＵＴＲＡＮ  ＲＳＲＰが前記ＥＵＴＲＡＮ  ＲＳＲＰ閾値より大きく、前記ＥＵＴＲＡＮ  ＲＳＲＰが前記ＥＵＴＲＡＮ  ＲＳＲＱ閾値より大きいことであることと、前記ＷＬＡＮ  ＲＳＳＩが前記ＷＬＡＮビーコンＲＳＳＩ閾値未満であることとを含む、決定するステップと、
前記複数の誘導条件が前記所定の時間区間の間に充足されたという決定に基づき、前記ＷＬＡＮを介し通信するユーザ装置（ＵＥ）の第１の無線機から前記ＥＵＴＲＡＮを介し通信する前記ＵＥの第２の無線機にトラフィックを誘導するステップと、
を前記ＵＥに実行させる命令を有する１つ以上のコンピュータ可読媒体。
【請求項４３】
前記命令は更に、実行されると、
前記ＥＵＴＲＡＮのｅＮＢからのメッセージに基づき識別子を決定するステップと、
前記識別子に基づき前記ＷＬＡＮを特定するステップと、
を前記ＵＥに実行させる、請求項４２記載の１つ以上のコンピュータ可読媒体。
【請求項４４】
前記識別子は、サービスセット識別子、ベーシックサービスセット識別子又はホモジーニアス拡張サービスセット識別子である、請求項４３記載の１つ以上のコンピュータ可読媒体。
【請求項４５】
前記ＲＡＮ支援パラメータは更に、ＷＬＡＮチャネル使用閾値を有し、前記複数の誘導条件は更に、前記ＷＬＡＮのチャネル使用が前記ＷＬＡＮチャネル使用閾値未満であることを含み、
前記ＲＡＮ支援パラメータは更に、ＷＬＡＮダウンリンクバックホールレート閾値を有し、前記複数の誘導条件は更に、前記ＷＬＡＮの利用可能なダウンリンク帯域幅が前記ＷＬＡＮダウンリンクバックホールレート閾値より大きいことを含み、又は、
前記ＲＡＮ支援パラメータは更に、ＷＬＡＮアップリンクバックホールレート閾値を有し、前記複数の誘導条件は更に、前記ＷＬＡＮの利用可能なアップリンク帯域幅が前記ＷＬＡＮアップリンクバックホールレート閾値より大きいことを含む、請求項４２乃至４４記載の１つ以上のコンピュータ可読媒体。
【請求項４６】
前記ＲＡＮ支援パラメータは更に、前記所定の時間区間を提供するタイマパラメータを有する、請求項４２乃至４５記載の１つ以上のコンピュータ可読媒体。